(57)【要約】【課題】中央監視装置の情報処理能力に影響を与えずに通信ネットワークにおける不正アクセスを監視することができる不正アクセス監視技術を提供することを目的とする。【解決手段】  不正アクセス監視装置１は、設備機器２が通信ネットワークＮＷを介して送信したＣＯＶ通知を検知するように構成されたＣＯＶ監視部１０と、ＣＯＶ監視部１０が前回検知したＣＯＶ通知に含まれる計測値と、ＣＯＶ監視部１０が今回検知したＣＯＶ通知に含まれる計測値との差分を求めるように構成された演算部１１と、演算部１１が求めた差分が、設定されたしきい値を超えた場合に不正アクセスが発生したものと判断するように構成された判断部１２とを備え、設備機器２によるＣＯＶ通知は、設定された値の変化が計測値に生じた場合に送信される。【選択図】  図１
2020120274.tif 000002
【特許請求の範囲】
【請求項１】
設備機器が通信ネットワークを介して送信した計測値に関する通知を検知するように構成された監視部と、
前記監視部が前回検知した通知に含まれる前記計測値と、前記監視部が今回検知した通知に含まれる前記計測値との差分を求めるように構成された演算部と、
前記演算部が求めた前記差分が、設定されたしきい値を超えた場合に不正アクセスが発生したものと判断するように構成された判断部と
を備え、
前記設備機器による前記計測値に関する通知は、設定された値の変化が前記計測値に生じた場合に送信される
ことを特徴とする不正アクセス監視装置。
【請求項２】
請求項１に記載の不正アクセス監視装置において、
前記設定されたしきい値は、前記設定された値以上であることを特徴とする不正アクセス監視装置。
【請求項３】
請求項１または請求項２に記載の不正アクセス監視装置において、
前記判断部が、不正アクセスが発生したものと判断した場合に、警報を出力するように構成された警報部をさらに備えることを特徴とする不正アクセス監視装置。
【請求項４】
請求項１から３のいずれか１項に記載の不正アクセス監視装置において、
前記通知に含まれる前記計測値は、環境に関する指数を含むことを特徴とする不正アクセス監視装置。
【請求項５】
設備機器が通信ネットワークを介して送信した計測値に関する通知を検知する監視ステップと、
前記監視ステップで、前回検知された通知に含まれる前記計測値と、前記監視ステップで今回検知された通知に含まれる前記計測値との差分を求める演算ステップと、
前記演算ステップで求められた前記差分が、設定されたしきい値を超えた場合に不正アクセスが発生したものと判断する判断ステップと
を備え、
前記設備機器による前記計測値に関する通知は、設定された値の変化が前記計測値に生じた場合に送信される
ことを特徴とする不正アクセス監視方法。
【請求項６】
請求項５に記載の不正アクセス監視方法において、
前記判断ステップで不正アクセスが発生したものと判断された場合に、警報を出力する警報ステップをさらに備えることを特徴とする不正アクセス監視方法。
【請求項７】
設備機器と、前記設備機器と通信ネットワークを介して接続され前記設備機器を制御および監視する中央監視装置と、前記通信ネットワークに接続され前記設備機器に対する不正アクセスを監視する不正アクセス監視装置とを備え、
前記不正アクセス監視装置は、
前記設備機器が前記通信ネットワークを介して送信した計測値に関する通知を検知するように構成された監視部と、
前記監視部が前回検知した通知に含まれる前記計測値と、前記監視部が今回検知した通知に含まれる前記計測値との差分を求めるように構成された演算部と、
前記演算部が求めた前記差分が、設定されたしきい値を超えた場合に不正アクセスが発生したものと判断するように構成された判断部と
を備え、
前記設備機器による前記計測値に関する通知は、設定された値の変化が前記計測値に生じた場合に送信される
ことを特徴とする中央監視システム。
【発明の詳細な説明】
【技術分野】
【０００１】
本発明は、不正アクセス監視装置、不正アクセス監視方法、および中央監視システムに関し、特に中央監視システムにおける不正アクセスの監視技術に関する。
【背景技術】
【０００２】
従来、ビル建物に設置されている各種設備を管理する設備管理システムとして、ＢＡＣｎｅｔ（Ｂｕｉｌｄｉｎｇ  Ａｕｔｏｍａｔｉｏｎ  ａｎｄ  Ｃｏｎｔｒｏｌ  Ｎｅｔｗｏｒｋｉｎｇ  ｐｒｏｔｏｃｏｌ：登録商標）と呼ばれるインテリジェントビル用ネットワークのための通信プロトコル規格を利用した、いわゆるＢＡＣｎｅｔシステムが普及しつつある。
【０００３】
例えば、特許文献１は、設備に設けられているフィールド機器からデータを収集するコントローラと、コントローラがＢＡＣｎｅｔなどの通信ネットワークを介して複数接続され、フィールド機器からのデータによって設備に関する情報を表示する中央監視装置とを有する中央監視システムを開示している。
【先行技術文献】
【特許文献】
【０００４】
【特許文献１】特開２００７−１９９７９８号公報
【発明の概要】
【発明が解決しようとする課題】
【０００５】
このようなＢＡＣｎｅｔシステムは、元々クローズドな環境に適用されていたため、不正アクセスに関しては、これまであまり重要視されていなかった。しかしながら、近年、ＩｏＴや他のシステムとの連携が進みつつあり、外部からアクセス可能なオープンな環境に変わりつつある。このため、悪意のある者が、不正アクセスしてＢＡＣｎｅｔシステムに接続できた場合、ＢＡＣｎｅｔシステム内の各種機器が様々に不正操作される可能性があるという問題点があった。
【０００６】
例えば、ＢＡＣｎｅｔプロトコルにおけるアナログ入力点（Ａｎａｌｏｇ  Ｉｎｐｕｔ（ＡＩ）ポイント）は、室温や湿度などの環境指数を中央監視装置で監視するために使われることがある。攻撃を行う者がそのＡＩポイントが属するデバイスを偽って中央監視装置に値変化通知（Ｃｈａｎｇｅ  Ｏｆ  Ｖａｌｕｅ：ＣＯＶ）を送信することで、中央監視装置上のモニタ画面に偽りの室温や室内湿度を表示させることが可能である。
【０００７】
また、中央監視装置上で動作する制御プログラム、例えば、空調制御プログラムに、偽りの室温や室内湿度を入力として与えることが可能である。このことを利用して、特定のエリアの室温、例えば、データセンタ室などの室温を実際より低く偽装することで冷房を止め、データセンタ室内に設置されているサーバにダメージを与えるなどの攻撃が可能となる。
【０００８】
本発明は、上述した課題を解決するためになされたものであり、中央監視装置の情報処理能力に影響を与えずに通信ネットワークにおける不正アクセスを監視することができる不正アクセス監視技術を提供することを目的とする。
【課題を解決するための手段】
【０００９】
上述した課題を解決するために、本発明に係る不正アクセス監視装置は、設備機器が通信ネットワークを介して送信した計測値に関する通知を検知するように構成された監視部と、前記監視部が前回検知した通知に含まれる前記計測値と、前記監視部が今回検知した通知に含まれる前記計測値との差分を求めるように構成された演算部と、前記演算部が求めた前記差分が、設定されたしきい値を超えた場合に不正アクセスが発生したものと判断するように構成された判断部とを備え、前記設備機器による前記計測値に関する通知は、設定された値の変化が前記計測値に生じた場合に送信されることを特徴とする。
【００１０】
また、本発明に係る不正アクセス監視装置において、前記設定されたしきい値は、前記設定された値以上であってもよい。
【００１１】
また、本発明に係る不正アクセス監視装置において、前記判断部が、不正アクセスが発生したものと判断した場合に、警報を出力するように構成された警報部をさらに備えていてもよい。
【００１２】
また、本発明に係る不正アクセス監視装置において、前記通知に含まれる前記計測値は、環境に関する指数を含んでいてもよい。
【００１３】
上述した課題を解決するために、本発明に係る不正アクセス監視方法は、設備機器が通信ネットワークを介して送信した計測値に関する通知を検知する監視ステップと、前記監視ステップで、前回検知された通知に含まれる前記計測値と、前記監視ステップで今回検知された通知に含まれる前記計測値との差分を求める演算ステップと、前記演算ステップで求められた前記差分が、設定されたしきい値を超えた場合に不正アクセスが発生したものと判断する判断ステップとを備え、前記設備機器による前記計測値に関する通知は、設定された値の変化が前記計測値に生じた場合に送信されることを特徴とする。
【００１４】
また、本発明に係る不正アクセス監視方法において、前記判断ステップで不正アクセスが発生したものと判断された場合に、警報を出力する警報ステップをさらに備えていてもよい。
【００１５】
上述した課題を解決するために、本発明に係る中央監視システムは、設備機器と、前記設備機器と通信ネットワークを介して接続され前記設備機器を制御および監視する中央監視装置と、前記通信ネットワークに接続され前記設備機器に対する不正アクセスを監視する不正アクセス監視装置とを備え、前記不正アクセス監視装置は、前記設備機器が前記通信ネットワークを介して送信した計測値に関する通知を検知するように構成された監視部と、前記監視部が前回検知した通知に含まれる前記計測値と、前記監視部が今回検知した通知に含まれる前記計測値との差分を求めるように構成された演算部と、前記演算部が求めた前記差分が、設定されたしきい値を超えた場合に不正アクセスが発生したものと判断するように構成された判断部とを備え、前記設備機器による前記計測値に関する通知は、設定された値の変化が前記計測値に生じた場合に送信されることを特徴とする。
【発明の効果】
【００１６】
本発明によれば、設備機器が通信ネットワークを介して送信した計測値に関する通知における前回の計測値と今回の計測値との差分が、設定されたしきい値を超えた場合に不正アクセスが発生したものと、通信ネットワーク上に設置された不正アクセス監視装置が判断する。そのため、中央監視装置の情報処理能力に影響を与えずに、通信ネットワークにおける不正アクセスを監視することができる。
【図面の簡単な説明】
【００１７】
【図１】図１は、本発明の実施の形態に係る不正アクセス監視装置の構成を示すブロック図である。
【図２】図２は、本実施の形態に係る不正アクセス監視装置のハードウェア構成を示すブロック図である。
【図３】図３は、本実施の形態に係る不正アクセス監視装置の動作を説明するためのフローチャートである。
【図４】図４は、本実施の形態に係る中央監視システムの動作を説明するためのシーケンス図である。
【発明を実施するための形態】
【００１８】
以下、本発明の好適な実施の形態について、図１から図４を参照して詳細に説明する。
本発明の実施の形態に係る不正アクセス監視装置１は、例えば、ビルディングオートメーション（ＢＡ）システムなどの中央監視システムに設けられる。ＢＡシステムは、例えばオフィスビルなどのビルに設置されている空調機器、照明機器、セキュリティ設備などの各種設備の集中管理および制御を行う。
【００１９】
本実施の形態に係る中央監視システムは、管理対象の情報を一元的に管理する中央監視装置３、中央監視装置３が管理および制御を行う設備機器２、および通信ネットワークＮＷにおける設備機器２に対する不正アクセスを監視する不正アクセス監視装置１を備える。中央監視装置３と、設備機器２と、不正アクセス監視装置１とはＢＡＣｎｅｔなどの通信プロトコルが用いられる通信ネットワークＮＷを介して互いに接続されている。
【００２０】
設備機器２には、フィールド機器などの各種機器が含まれ、例えば、室温や湿度などに代表される環境指数を計測する。フィールド機器の具体例としては、空調機器、ファン、温度センサ等がある。
【００２１】
設備機器２は、室内の温度や湿度などのアナログ値を継続的に計測し、計測値に予め設定された値の変化が生じた場合には、通信ネットワークＮＷを介して中央監視装置３に計測値に関する通知として値変化通知（以下、ＣＯＶ通知という。）を送信する。
【００２２】
具体的には、設備機器２が時系列データとして計測する室内の温度や湿度について、ＢＡＣｎｅｔ通信の仕様で定められた、ＣＯＶ  Ｉｎｃｒｅｍｅｎｔのプロパティで設定された、ＣＯＶ通知を送信するのに必要な値変化分を超える温度や湿度の変化が生ずるたびに、設備機器２はＣＯＶ通知を送信する。
【００２３】
設備機器２が計測する、温度や湿度などの環境指数は、一般的に、短期間では急激に変化することはない。もしも、火災などの特別な原因により、温度や湿度が急激に変化した場合には、通常、火災警報器など空調用の温度センサなどとは別の手段で検知される。
【００２４】
このことから、設備機器２が中央監視装置３に送信するＣＯＶ通知の計測値は、通常は、設備機器２が前回送信したＣＯＶ通知の計測値に対して急激な変化が生じていることはない。すなわち、設備機器２が前回送信したＣＯＶ通知の計測値と、今回送信したＣＯＶ通知の計測値とは、通常であれば、前述したように設備機器２がＣＯＶ通知を送信するのに必要な値変化分程度の差分を有することが想定される。
【００２５】
本実施の形態では、設備機器２に対する不正アクセスによってＣＯＶ通知の計測値が書き換えられた場合に、前回送信されたＣＯＶ通知の計測値と、今回送信されたＣＯＶ通知の計測値との差分が一般的な環境指数における変化を超える、通常では生じないような大きな差分となり得る点に着目する。
【００２６】
また、不正アクセスとは、例えば、外部などから通信ネットワークＮＷ上の設備機器２に直接的または間接的にアクセスし、設備機器２の計測値を偽装して実際とは異なる計測値に基づくＣＯＶ通知を中央監視装置３に送信すること等をいう。
【００２７】
次に、不正アクセス監視装置１の構成について説明する。不正アクセス監視装置１は、通信ネットワークＮＷ上の設備機器２に対する不正アクセスを監視する。
図１に示すように、不正アクセス監視装置１は、ＣＯＶ監視部（監視部）１０、演算部１１、判断部１２、警報部１３、および記憶部１４を備える。
【００２８】
ＣＯＶ監視部１０は、設備機器２が通信ネットワークＮＷを介して送信したＣＯＶ通知を継続的に検知する。なお、ＣＯＶ監視部１０は、一定の期間にわたって継続的にＣＯＶ通知を検知してもよい。
【００２９】
例えば、ＣＯＶ監視部１０は、通信ネットワークＮＷ上を流れる全てのパケットをキャプチャして、キャプチャしたパケットを解析して設備機器２が送信したＣＯＶ通知を検知することができる。
【００３０】
あるいは、ＣＯＶ監視部１０は、所定のフロープロトコルを用いて、予め指定した送信先ＩＰアドレス、送信元ＩＰアドレスなどのフロー条件に合致するパケットのみを取得して、解析に必要なヘッダなど必要な情報のみを取得する構成としてもよい。
【００３１】
ＣＯＶ監視部１０は、ＣＯＶ通知を検知した時刻情報と共にＣＯＶ通知を記憶部１４に記録する。ＣＯＶ通知が検知された時刻は、不正アクセス監視装置１が備える内蔵時計１０７やタイムサーバ（図示しない）を参照して取得することができる。
【００３２】
演算部１１は、ＣＯＶ監視部１０が前回検知したＣＯＶ通知の計測値と、ＣＯＶ監視部１０が今回検知したＣＯＶ通知の計測値との差分を求める。例えば、演算部１１は、設備機器２が温度センサである場合に、前回および今回のＣＯＶ通知に含まれる室内温度の差分を求める。前述したように、演算部１１によって求められた計測値の差分は、通常であれば、ＢＡＣｎｅｔ通信の仕様で定められたＣＯＶ  Ｉｎｃｒｅｍｅｎｔプロパティで設定された、計測値に対する変化分に相当する値となる。
【００３３】
判断部１２は、演算部１１が求めた前回のＣＯＶ通知の計測値と、今回のＣＯＶ通知の計測値との差分が、設定されたしきい値を超えている場合に不正アクセスが発生したものと判断する。例えば、しきい値として、ＣＯＶ  Ｉｎｃｒｅｍｅｎｔプロパティで設定された、ＣＯＶ通知を送信するのに必要な値変化分と同じ値を設定することができる。あるいは、ＣＯＶ通知に必要な値変化分の値より一定の割合だけ大きい値、例えば、必要な値変化分の１．１倍の値などを、しきい値として設定することができる。なお、しきい値は、設備機器２が計測する環境指数の種類や特性、およびＣＯＶ  Ｉｎｃｒｅｍｅｎｔプロパティで指定されている値変化分に応じて適宜設定することができる。
【００３４】
警報部１３は、判断部１２によって不正アクセスが発生したものと判断された場合に、警報を出力する。具体的には、警報部１３は、判断部１２による不正アクセスが発生したとの判断に基づいて、警報を示す信号を生成する。また、警報部１３は、ＢＡＣｎｅｔ通信などにより通信ネットワークＮＷを介して警報を示す情報を中央監視装置３に送信することができる。あるいは、不正アクセス監視装置１が備える図示されない表示画面にテキストデータを表示したり、ＬＥＤの点滅、図示されないスピーカからの音声出力などにより警報を出力してもよい。また、通信ネットワークＮＷ上の特定の通信端末（図示しない）に対して警報を送信する構成を採用してもよい。
【００３５】
記憶部１４は、判断部１２によって用いられるしきい値を記憶する。また、記憶部１４は、ＣＯＶ監視部１０が検知したＣＯＶ通知および送信元の設備機器２の識別情報と検知された時刻とを紐づけて記憶する。
【００３６】
［不正アクセス監視装置のハードウェア構成］
次に、上述した構成を有する不正アクセス監視装置１のハードウェア構成の一例について、図２を参照して説明する。
【００３７】
図２に示すように、不正アクセス監視装置１は、例えば、バス１０１を介して接続されるＣＰＵ１０２、主記憶装置１０３、通信インターフェース１０４、補助記憶装置１０５、入出力インターフェース１０６を備えるコンピュータと、これらのハードウェア資源を制御するプログラムによって実現することができる。
【００３８】
主記憶装置１０３には、ＣＰＵ１０２が各種制御や演算を行うためのプログラムが予め格納されている。ＣＰＵ１０２と主記憶装置１０３とによって、図１に示した判断部１２など、不正アクセス監視装置１の各機能が実現される。
【００３９】
通信インターフェース１０４は、通信ネットワークＮＷを介して設備機器２が送信したＣＯＶ通知を受信したり、中央監視装置３との通信を行うためのインターフェース回路である。
【００４０】
補助記憶装置１０５は、読み書き可能な記憶媒体と、その記憶媒体に対してプログラムやデータなどの各種情報を読み書きするための駆動装置とで構成されている。補助記憶装置１０５には、記憶媒体としてハードディスクやフラッシュメモリなどの半導体メモリを使用することができる。
【００４１】
補助記憶装置１０５は、不正アクセス監視装置１が不正アクセスを監視するためのプログラムを格納するプログラム格納領域を有する。補助記憶装置１０５によって、図１で説明した記憶部１４が実現される。さらには、例えば、上述したデータやプログラムなどをバックアップするためのバックアップ領域などを有していてもよい。
【００４２】
入出力インターフェース１０６は、外部機器からの信号を入力したり、外部機器へ信号を出力したりするＩ／Ｏ端子により構成される。
【００４３】
内蔵時計１０７は、時刻を計時して現在時刻を示す信号を供給する。内蔵時計１０７の代わりに通信インターフェース１０４を介して外部のタイムサーバから現在時刻を取得してもよい。
【００４４】
［不正アクセス監視装置の動作］
次に、上述した構成を有する不正アクセス監視装置１の動作について、図３のフローチャートを用いて説明する。以下においては、判断部１２が不正アクセスの発生の有無を判断する際に用いられるしきい値が予め記憶部１４に記憶されているものとする。
【００４５】
まず、ＣＯＶ監視部１０は、通信ネットワークＮＷ上を流れるパケットのキャプチャを開始する（ステップＳ１）。次に、ＣＯＶ監視部１０は、キャプチャされたパケットを解析して、設備機器２が送信したＣＯＶ通知を検知する（ステップＳ２）。なお、ＣＯＶ監視部１０は、ＣＯＶ通知を少なくとも一定の期間にわたって継続的に検知する。ＣＯＶ監視部１０が検知したＣＯＶ通知は、検知した時刻情報とともに記憶部１４に記憶される。
【００４６】
その後、演算部１１は、前回検知されたＣＯＶ通知の計測値と、今回検知されたＣＯＶ通知の計測値との差分を求める（ステップＳ３）。より詳細には、演算部１１は、前回検知されたＣＯＶ通知の計測値を記憶部１４から読み出して、今回検知されたＣＯＶ通知の計測値との差分を求める。
【００４７】
次に、判断部１２は、ステップＳ３で演算部１１が算出した前回のＣＯＶ通知に含まれる計測値と今回のＣＯＶ通知に含まれる計測値との差分が、設定されたしきい値を超える場合には（ステップＳ４：ＹＥＳ）、不正アクセスが発生したものと判断し、警報部１３は警報を出力する（ステップＳ５）。具体的には、判断部１２は、記憶部１４に記憶されているしきい値を読み出し、ステップＳ３で求められた差分に対するしきい値処理を実行する。また、警報部１３により生成された警報は、例えば、通信ネットワークＮＷを介して、ＢＡＣｎｅｔ通信などにより中央監視装置３に送信される。
【００４８】
［中央監視システムのシーケンス］
次に上述した構成を有する不正アクセス監視装置１を備える中央監視システムの動作について、図４のシーケンス図を用いて説明する。
【００４９】
図４に示すように、設備機器２は、設定された値の変化が計測値に生ずると、通信ネットワークＮＷを介して中央監視装置３にＣＯＶ通知を送信する（ステップＳ１００）。設定された値の変化とは、ＣＯＶ  Ｉｎｃｒｅｍｅｎｔのプロパティにおいて予め設定されている計測値の増加または減少の許容値である。不正アクセス監視装置１は、例えば、通信ネットワークＮＷ上を流れるパケットのキャプチャにより、設備機器２が送信したＣＯＶ通知を検知する（ステップＳ１０１）。一方において、中央監視装置３は、設備機器２が送信したＣＯＶ通知を受信する（ステップＳ１０２）。
【００５０】
その後、設備機器２は、再び、設定された値の変化が計測値に生ずると、通信ネットワークＮＷを介して中央監視装置３にＣＯＶ通知を送信する（ステップＳ１０３）。不正アクセス監視装置１は、設備機器２によって送信されたＣＯＶ通知を検知する（ステップＳ１０４）。一方で、中央監視装置３は、設備機器２が送信したＣＯＶ通知を受信する（ステップＳ１０５）。
【００５１】
次に、不正アクセス監視装置１は、ステップＳ１０１およびステップＳ１０４のそれぞれで検知した前回および今回のＣＯＶ通知が示す計測値の差分に基づいて、不正アクセスの発生の有無を判断する（ステップＳ１０６）。より詳細には、演算部１１が前回および今回の計測値の差分を算出する。そして、判断部１２が、記憶部１４に予め記憶されているしきい値を読み出して、計測値の差分がしきい値を超える場合には、不正アクセスが発生したものと判断する。
【００５２】
その後、不正アクセス監視装置１は、不正アクセスが発生したことを示す警報を生成し、通信ネットワークＮＷを介して中央監視装置３に送信する（ステップＳ１０７）。例えば、中央監視装置３の図示されない表示画面などに、設備機器２に対して不正アクセスが生じたことを示す警報メッセージが表示される。
【００５３】
以上説明したように、本実施の形態に係る不正アクセス監視装置１によれば、設備機器２が通信ネットワークＮＷを介して送信した複数のＣＯＶ通知の計測値において、前回検知されたＣＯＶ通知の計測値と今回検知されたＣＯＶ通知の計測値との差分が、設定されたしきい値を超える場合には、不正アクセスが発生したものと判断する。このように、不正アクセスの発生の有無についての判断を通信ネットワークＮＷ上に設けられた不正アクセス監視装置１が行うので、中央監視装置３の情報処理能力に影響を与えずに、通信ネットワークＮＷにおける不正アクセスを監視することができる。
【００５４】
なお、説明した実施の形態では、通信ネットワークＮＷを介して接続されている設備機器２は１台である場合を例に挙げて説明したが、設備機器２の数は、複数であってもよい。この場合、判断部１２が用いるしきい値は、設備機器２毎に設定され記憶部１４に予め記憶される。
【００５５】
以上、本発明の不正アクセス監視装置、不正アクセス監視方法、および中央監視システムにおける実施の形態について説明したが、本発明は説明した実施の形態に限定されるものではなく、請求項に記載した発明の範囲において当業者が想定し得る各種の変形を行うことが可能である。
【符号の説明】
【００５６】
１…不正アクセス監視装置、２…設備機器、３…中央監視装置、１０…ＣＯＶ監視部、１１…演算部、１２…判断部、１３…警報部、１４…記憶部、１０１…バス、１０２…ＣＰＵ、１０３…主記憶装置、１０４…通信インターフェース、１０５…補助記憶装置、１０６…入出力インターフェース、１０７…内蔵時計、ＮＷ…通信ネットワーク。
【図１】
2020120274.tif 000003
【図２】
2020120274.tif 000004
【図３】
2020120274.tif 000005
【図４】
2020120274.tif 000006